(57)【要約】      （修正有）【課題】水槽にワンタッチで取り付け可能とした水棲生物水槽用温度計を提供する。【解決手段】温度表示部を備えた筐体状の本体１と、水槽内の水温を検出する温度センサとを電気的に接続した温度計において、スライド体８の先端に鍔状の張出片７を設けたフック部材６を本体の背面から引き出し自在に設けると共に、引き出し時の本体背面とフック部材の張出片背面との間隔を水槽の厚みより大きく設定する。【選択図】図３
0003175741.tif 000002
【実用新案登録請求の範囲】
【請求項１】
温度表示部を備えた筐体状の本体と、水槽内の水温を検出する温度センサとを電気的に接続した温度計において、スライド体の先端に鍔状の張出片を設けたフック部材を本体の背面から引き出し自在に設けると共に、引き出し時の本体背面とフック部材の張出片背面との間隔を水槽の厚みより大きく設定したことを特徴とする水棲生物水槽用温度計。
【請求項２】
本体に対し揺動することにより、開脚時に本体と相まって倒立Ｖ字体を構成するスタンド部材を本体の背面に揺動自在に設けた請求項１記載の水棲生物水槽用温度計。
【請求項３】
本体の側面に円柱状の操作ベース体を延設し、上記操作ベース体の前面に操作ボタン類を配した請求項１または２記載の水棲生物水槽用温度計。
【考案の詳細な説明】
【技術分野】
【０００１】
この考案は観賞魚などの水棲生物の水槽内の水温を計測するための温度計に関する。
【背景技術】
【０００２】
観賞魚などの水棲生物を水槽の中で生かすためには、水槽の温度管理が不可欠であり、そのために水を加熱するためのヒーター装置と、水槽内の水温を計測するための温度計が不可欠となる。
【０００３】
水温を計測するための温度計としては、水中に位置させる温度センサと、温度表示部を備えた温度計本体とを電気ケーブルなどで接続することにより、温度計本体を水槽外に配置した考案が公知である（例えば、特許文献１、２）。
【先行技術文献】
【特許文献】
【０００４】
【特許文献１】特開２００１−１８６８３３号公報
【特許文献２】特開２００８−２９５４２１号公報
【考案の概要】
【考案が解決しようとする課題】
【０００５】
前記の公知考案によれば、水中に位置させることが必須となる温度センサに対し温度計本体を分離しているので、温度計を任意の場所に設置すことができる。
【０００６】
この場合、電池交換の便のためや、水槽に人工的なものを取り付けたくない場合、あるいは室温センサも内蔵した温度計などの場合は温度計を水槽から離して設置することが望まれる。一方、生物の観賞と共に水槽内の温度をリアルタイムで監視したい場合や水槽周りのスペースに限りがある場合は温度計を水槽に取り付けることが望まれる。
【０００７】
従来、市販されている温度計はスタンドなどにより自立させて、水槽付近に配置することを前提としたものであったが、温度計を水槽に取り付けるための方策としては、前記の公知文献２に吸盤をもって水槽の壁面に取り付けることが開示されている。
【０００８】
しかしながら、吸盤は恒久的に取り付けることを前提とした部材であり、取り外しを頻繁に行なう用途には適しておらず、水槽に残った吸盤痕を拭き取らなければならない不便さもあった。
【課題を解決するための手段】
【０００９】
この考案は、以上の問題点を解決した水棲生物水槽用温度計を提供することを目的として創作されたものである。すなわち、この考案の水棲生物水槽用温度計は温度表示部を備えた筐体状の本体と、水槽内の水温を検出する温度センサとを電気的に接続した温度計において、スライド体の先端に鍔状の張出片を設けたフック部材を本体の背面から引き出し自在に設けると共に、引き出し時の本体背面とフック部材の張出片背面との間隔を水槽の厚みより大きく設定したことを特徴とする。
【００１０】
また、請求項２に記載の水棲生物水槽用温度計は、前記の温度計において、本体に対し揺動することにより、開脚時に本体と相まって倒立Ｖ字体を構成するスタンド部材を本体の背面に揺動自在に設けたことを特徴とする。
【００１１】
また、請求項３に記載の水棲生物水槽用温度計は、前記の温度計において、本体の側面に円柱状の操作ベース体を延設し、上記操作ベース体の前面に操作ボタン類を配したことを特徴とする。
【考案の効果】
【００１２】
この考案の温度計によれば、スライド体の先端に鍔状の張出片を設けたフック部材を本体の背面から引き出し自在に設けると共に、引き出し時の本体背面とフック部材の張出片背面との間隔を水槽の厚みより大きく設定しているので、フック部材を引き出せば、フック用のスライド体の下面と、張出片の背面と、本体の背面との間に下向きコ字状の引っ掛け部が構成されこととなり、この引っ掛け部をもって温度計の本体を水槽の上縁に引っ掛けて保持することが可能となる。この場合、フック部材の引き出す量を調節することにより、厚みの異なる多様な水槽に対応することが可能となる。さらに、上記フック部材は不使用時には本体内に押し込んで収容すれば、邪魔になることがない。
【００１３】
また、請求項２に記載の考案によれば、本体に対し揺動することにより、開脚時に本体と相まって倒立Ｖ字体を構成するスタンド部材を本体の背面に揺動自在に設けているので、スタンド部材を開脚して使用すれば、温度計の本体を水槽の外に自立させることもでき、状況に応じて温度計の本体を水槽に取り付けたり、水槽の外に自立させることを自在に選択できる。そして、この場合、本体はフック部材の引き出して水槽の上縁に引っ掛けるだけで保持されるので、これらの作業をワンタッチで行なうことが可能となる。
【００１４】
ところで、この考案の温度計を水槽に引っ掛けて使用する場合に、温度の表示や切り替えなどのために温度計の本体に設けた操作ボタン類を操作するに際し、本体の背後に水槽の壁面が位置するので操作がしにくい問題が生じる。この場合、請求項３に記載の考案によれば、本体の側面に円柱状の操作ベース体を延設し、操作ボタン類はこの操作ベース体の前面に配するので、円柱状であることより背後に水槽の壁面に邪魔されずに指先で操作ベース体を摘むことが可能となり、操作がし易くなる。
【図面の簡単な説明】
【００１５】
【図１】この考案の水棲生物水槽用温度計の正面から観察した斜視図。
【図２】同上、背面から観察した斜視図。
【図３】同上、フック部材を引き出した状態の斜視図。
【図４】同上、フック部材を外した状態の斜視図。
【図５】この考案の水棲生物水槽用温度計の使用状態を示す側面図。
【図６】この考案の水棲生物水槽用温度計のスタンド部材を外した状態の斜視図。
【図７】この考案の水棲生物水槽用温度計の使用状態を示す側面図。
【図８】この考案の水棲生物水槽用温度計の使用状態を示す側面図。
【考案を実施するための形態】
【００１６】
以下、この考案の具体的実施例を添付図面に基づいて説明する。図１はこの考案の水棲生物水槽用温度計を正面から観察した斜視図である。図中符号１は筐体状の本体であり、正面に温度表示部５が配され、図示しない内部には制御回路が収容される。図中符号４は図示しない水槽内の水温を検出する温度センサと本体１とを電気的に接続するための電気ケーブルである。また、図中符号２は操作ボタン類３が全面に配される操作ベース体である。この操作ベース体２は温度計を水槽に引っ掛けて使用する場合に、水槽の壁面に邪魔されずに指先で摘みやすいように、円柱状としたものが本体１の側面に延設される。
【００１７】
図３、４、６は温度計を背面から観察した斜視図である。図中符号６は本体１を水槽Ｓに引っ掛けるためのフック部材であり、プラスチック等の弾性素材により構成される。このフック部材６は本体の背面から進退する板状のスライド体８の先端に鍔状の張出片７を設けた構成よりなり、本体の背面から引き出し自在とされる。
【００１８】
この実施例においては、前記フック部材６は本体１の背面に開口した長孔１１にスライド体８を挿通することにより本体の背面から進退するようにしている。図中符号９、９はスリットを介してスライド体８の両端に設けられる可撓部であり、先端を外向き鉤状とすることにより、内方に撓んだ状態で長孔１１に挿入可能とすると共に、挿入後は先端の鉤が長孔裏面に当接して抜け止めとなる。
【００１９】
図中符号１０は、前記フック部材６を押し込んだ際に本体１の背面から張出片７が飛び出さないように、張出片の形状に沿って本体の背面に凹設される退避凹部である。なお、図中符号１２、１２はフック部材部材６を引き出す際の指がかりとなるように退避凹部１０の両側に凹設される指入れ部である。
【００２０】
以上のフック部材６は引き出し時の本体背面と張出片７背面との間隔を水槽Ｓの厚みより大きく設定することにより、図７、８に示すように温度計の本体１を水槽の上縁に引っ掛けて保持することを可能とする。
【００２１】
次に図中符号１３は開脚時に本体１と相まって倒立Ｖ字体を構成することにより本体を自立させるためのスタンド部材である（図５参照）。このスタンド部材１３は左右の脚部１４、１４を連結杆１５で連結した構成よりなり、脚部１４、１４の上端内方に突設したピン１６、１６を本体背面に凹設した図示しないピン孔に軸支することにより、本体に対し揺動自在に設けられる。なお、図中符号１７は、前記スタンド部材１３を畳んだ際に本体１の背面から飛び出さないように、スタンド部材の形状に沿って本体の背面に凹設される退避凹部である。
【符号の説明】
【００２２】
Ｓ        水槽
１        本体
２        操作ベース体
５        表示部
６        フック部材
７        張出片
８        スライド体
１３      スタンド部材
【図１】
0003175741.tif 000003
【図２】
0003175741.tif 000004
【図３】
0003175741.tif 000005
【図４】
0003175741.tif 000006
【図５】
0003175741.tif 000007
【図６】
0003175741.tif 000008
【図７】
0003175741.tif 000009
【図８】
0003175741.tif 000010